(57)【要約】【課題】少なくとも１体の人形を含む装飾体同士を接近させて配置することができることで、横幅を狭くサイズの小さい飾り台を提供する。【解決手段】飾り台１０は、基台部２０に、横並びに設置された２つの台座部３１，３２のそれぞれに雛人形が配置される。男雛Ｄ１が配置される台座部３１は、長さの長い脚部４１により基台部２０に取り付けられている。女雛Ｄ２が配置される台座部３２は、脚部４１より短い脚部４２により基台部２０に取り付けられている。脚部４２が脚部４１により短いため、台座部３２は台座部３１より低い位置の段違いとなる。従って、女雛Ｄ２の衣装が十二単で裾の拡がりが大きく、また、男雛Ｄ１も束帯で裾が拡がっていても、女雛Ｄ２の衣装は台座部３１の下方に拡がり、男雛Ｄ１の衣装は、台座部３２の上方に拡がる。そのため、互いの衣装同士が直接接触して重なり合うことが回避できる。【選択図】図１
0003200832.tif 000002
【実用新案登録請求の範囲】
【請求項１】
基台部に、横並びに設置された複数の台座部のそれぞれに、少なくとも１体の人形を含む装飾体が配置される飾り台において、
前記複数の台座部のうち前記人形が配置される台座部は、隣接する台座部より低く形成された飾り台。
【請求項２】
前記台座部には、前記基台部から起立する脚部が設けられた請求項１記載の飾り台。
【請求項３】
前記脚部は、ねじ止めにより前記基台部に取り付けられている請求項２記載の飾り台。
【請求項４】
前記台座部は、円形状に形成されている請求項３記載の飾り台。
【請求項５】
前記基台部に設置された２つ前記台座部のうち、女雛が配置される前記台座部が低い位置に形成され。男雛が配置される前記台座部が高い位置に形成された請求項１から４のいずれかの項に記載の飾り台。
【請求項６】
前記台座部は、前記台座に配置された前記男雛の衣装が上方に位置し、前記女雛の衣装が下方に位置して段違いになるように形成されている請求項５記載の飾り台。
【請求項７】
前記基台部には、旗を垂れ下げるための旗竿部が設けられている請求項１から６のいずれかの項に記載の飾り台。
【請求項８】
前記旗竿部は、複数の竿部材が連結部により繋がっている共に、前記旗を吊り下げるため引っ掛け部が形成され、前記基台部にねじ止めされることで取り付けられており、
前記連結部は、一方の竿部材に形成された軸部と、他方の竿部材に形成された嵌合用穴とが軸回転自在に嵌合するように形成された請求項７記載の飾り台。
【考案の詳細な説明】
【技術分野】
【０００１】
本考案は、少なくとも１体の人形を含む装飾体を横並びに飾り付けるための飾り台に関するものである。
【背景技術】
【０００２】
人形を飾り付けるための飾り台は、桃の節句では雛人形の男雛と女雛が、端午の節句では兜と金太郎または桃太郎の人形が、横並びに配置される。
このような節句人形を飾る飾り台として、特許文献１，２に記載されたものが知られている。
【０００３】
特許文献１に記載の「装飾体の収納・飾り装置」は、装飾体を収納可能で、天板部分に載置して飾れる収納兼用台箱が、箱本体と、開口部を開閉自在な蓋体とからなるものである。この特許文献１では、装飾体として、雛人形の男雛と女雛が、取付用台板に横並びに載置された台座部に、それぞれ配置されている。
【０００４】
特許文献２に記載の「雛人形用飾台」には、基台と、基台に載置する六角横長形状畳台と、該畳台に載置するしとね台（台座部）とからなるものである。
【先行技術文献】
【特許文献】
【０００５】
【特許文献１】実用新案登録第３１１６１１２号公報
【特許文献２】実用新案登録第３１６５０３３号公報
【考案の概要】
【考案が解決しようとする課題】
【０００６】
節句人形は、住宅事情や経済的な理由などから、サイズの小さいものが多く販売されている。しかし、特許文献１，２に記載の従来の飾り台では、横幅を狭くするために、男雛と女雛とを接近させて配置すると、女雛が身につけた裾が拡がる衣装が、横並びに位置する男雛に重なってしまう。そのため、飾り台の横幅は、衣装の裾の拡がりを考慮して、人形同士の間隔により決定される。従って、横幅を更に狭くすることができる飾り台が望まれている。
【０００７】
そこで本考案は、少なくとも１体の人形を含む装飾体同士を接近させて配置することができることで、横幅を狭くサイズの小さい飾り台を提供することを目的とする。
【課題を解決するための手段】
【０００８】
本考案は、基台部に、横並びに設置された複数の台座部のそれぞれに、少なくとも１体の人形を含む装飾体が配置される飾り台において、前記複数の台座部のうち前記人形が配置される台座部は、隣接する台座部より低く形成されていることを特徴とするものである。
【０００９】
本考案の飾り台によれば、人形が配置される台座部が、隣接する台座部より低く形成されているため、裾の拡がりが大きい衣装を人形が身に付けていても、衣装が隣接する台座の下方に拡がるため、隣接する台座部に配置される装飾体に重なることが回避できる。
【００１０】
前記台座部には、前記基台部から起立する脚部が設けられていると、高い位置にある台座部だけでなく低い位置にある台座部も、基台部より、更に高い位置にあるため、台座部の前方に人形の附属品を配置しても、人形を含む装飾体の邪魔にならない。
【００１１】
前記脚部は、ねじ止めにより前記基台部に取り付けられていると、台座部を簡単に配置することができる。
【００１２】
前記台座部が、円形状に形成されていると、基台部への脚部のねじ込みが、どのような軸回転位置で完了しても、正面視して台座部を同じ状態とすることができる。そのため、設置者は、台座部の正面を気にすることなく基台部へ取り付けることができる。
【００１３】
前記基台部に設置された２つ前記台座部のうち、女雛が配置される前記台座部が低い位置に形成され。男雛が配置される前記台座部が高い位置に形成されている。更に、前記台座部は、前記台座に配置された前記男雛の衣装が上方に位置し、前記女雛の衣装が下方に位置して段違いになるように形成されていると、十二単を身に付ける女雛の衣装が大きく横に拡がっても、男雛が配置される台座部の下方に拡がるだけなので、女雛の衣装が男雛に直接接触して重なることが回避できる。
【００１４】
前記基台部には、旗を垂れ下げるための旗竿部が設けられていると、基台部の外に、旗竿を立てて旗を吊り下げるより、全体をコンパクトに纏めることができる。
【００１５】
前記旗竿部は、複数の竿部材が連結部により繋がっている共に、前記旗を吊り下げるため引っ掛け部が形成され、前記基台部にねじ止めされることで取り付けられており、前記連結部は、一方の竿部材に形成された軸部と、他方の竿部材に形成された嵌合用穴とが軸回転自在に嵌合するように形成されていることが望ましい。そうすることで、旗竿部が基台部にねじ止めされる際に、どのような軸回転位置でねじ込みが完了しても、引っ掛け部が形成された竿部材を軸回転させて、引っ掛け部を正面に向けることで、旗を正面に真っ直ぐ向けることができる。
【考案の効果】
【００１６】
本考案によれば、隣接する台座部に配置される装飾体に重なることが回避できるので、少なくとも１体の人形を含む装飾体同士を接近させて配置することができることで、横幅が狭くサイズの小さい飾り台とすることができる。
【図面の簡単な説明】
【００１７】
【図１】本考案の実施の形態に係る飾り台に雛人形と旗を配置した状態の正面図である。
【図２】図１に示す飾り台の斜視図である。
【図３】図１に示す飾り台の台座部の正面図である。
【図４】図１に示す飾り台の旗竿部の分解した状態の左側面図である。
【考案を実施するための形態】
【００１８】
本考案の実施の形態に係る飾り台を図面に基づいて説明する。
図１に示す飾り台１０には、人形を含む装飾体として男雛Ｄ１と女雛Ｄ２とよる飾り雛が、桃の節句の節句人形として飾られている。また、飾り台１０の中央部には、飾り雛により成長を願う女児の名前Ｎを付した旗Ｆが吊り下げられている。
この飾り台１０は、基台部２０に、横並びに設置された一対の台座部３１，３２のそれぞれに、男雛Ｄ１と女雛Ｄ２が配置される。
【００１９】
図２に示すように、基台部２０は、矩形状の木製の板材により形成される。例えば、基台部２０は、横幅が約４５ｃｍ、奥行きが約４０ｃｍに形成されている。基台部２０には、台座部３１，３２が取り付けられる位置に、図示しない雌ねじ部が形成されている。また、旗Ｆを吊り下げる位置にも雌ねじ部が形成されている。更に、基台部２０の幅方向の両方の端部には、指先を挿入して持ち上げやすくするように、切り欠き部２１が形成されている。
【００２０】
台座部３１，３２は、直径が約２０ｃｍの円形状の木製の板材により形成される。この台座部３１，３２には、基台部２０から起立する円柱棒状の脚部４１，４２が設けられている。男雛Ｄ１が配置される台座部３１は、約１０ｃｍの脚部４１により支持されている。女雛Ｄ２が配置される台座部３２は、約５ｃｍの脚部４２により支持されている。
台座部３１を支持する脚部４１と、台座部３２を支持する脚部４２との長さを異ならせ、脚部４１を脚部４２より長く形成することにより、台座部３１が台座部３２より高く位置している。
【００２１】
図３に示すように、脚部４１，４２は、下端に雄ねじ部４１ａ，４２ａが形成されており、基台部２０の雌ねじ部にねじ込まれることで、基台部２０から起立した状態となる。
【００２２】
図１および図２に示すように、正面視して台座部３１，３２の間に位置する基台部２０の後部中央には、旗Ｆを吊り下げるための旗竿部５０が設けられている。
図４に示すように、旗竿部５０は、基端部に位置する竿部材５１と、先端部に位置する竿部材５２とから形成されている。
【００２３】
竿部材５１には、下端に雄ねじ部５１ａが形成されており、脚部４１，４２と同様に、基台部２０の雌ねじ部にねじ込まれることで、基台部２０から起立した状態となる。また、竿部材５１の上端には、後述する竿部材５２の軸部が挿入される内周面が円筒状の嵌合用穴５１ｂが形成されている。
【００２４】
竿部材５２の上端には、旗Ｆを吊り下げるための引っ掛け部５２ａが形成されている。本実施の形態では、引っ掛け部５２ａとして、斜め下方に向かって切り込んだ溝が形成されている。竿部材５２の上端には、嵌合用穴５１ｂに嵌合する円柱状の軸部５２ｂが形成されている。この軸部５２ｂは、円周面に突起が無いため、嵌合用穴５１ｂに挿入されて軸回転することが可能である。
このように、竿部材５１と竿部材５２とは、嵌合用穴５１ｂと軸部５２ｂとを、軸回転自在に嵌合する連結部５３として機能させることで繋がっている。
【００２５】
以上のように構成された本考案の実施の形態に係る飾り台１０の組み立て方法および使用状態について、図面に基づいて説明する。
まず、設置者は、脚部４１，４２が設けられた台座部３１，３２を基台部２０に取り付ける。台座部３１，３２は、脚部４１，４２の下端に形成された雄ねじ部４１ａ，４２ａを基台部２０に形成された雌ねじ部にねじ込むだけで、簡単に取り付けることができる。
【００２６】
また脚部４１，４２が基台部２０にねじ止めにより固定されることで、飾り台１０は、男雛Ｄ１と女雛Ｄ２の配置が左右で逆転する関東雛と京雛のいずれでも対応させることができる。
【００２７】
台座部３１，３２は、円形状に形成され、脚部４１，４２を中心とした回転対称であるため、脚部４１，４２の雄ねじ部４１ａ，４２ａによる雌ねじ部へのねじ込みが、どのような軸回転位置で完了しても、正面視して台座部３１，３２を同じ状態とすることができる。そのため、設置者は台座部３１，３２の正面を気にすることなく基台部２０へ取り付けることができる。
【００２８】
次に、設置者は、旗竿部５０を基台部２０へ取り付ける。
まず、基端部側となる竿部材５１を取り付けるときには、竿部材５１の下端に形成された雄ねじ部５１ａを基台部２０に形成された雌ねじ部にねじ込む。次に、設置者は、上端側となる竿部材５２の下端に形成された軸部５２ｂを、竿部材５１の嵌合用穴５１ｂに差し込む。そして、設置者は、竿部材５２の上端に形成された引っ掛け部５２ａの開口が正面を向くように、竿部材５２を軸回転させる。
【００２９】
竿部材５２と竿部材５１とが、外周面に凹凸が無い軸部５２ｂと、内周面に凹凸が無い嵌合用穴５１ｂとより嵌合するため、基端部側となる竿部材５１の基台部２０へのねじ込みが、どのような軸回転位置で完了しても、竿部材５２を軸回転させることで、引っ掛け部５２ａを正面に向けることができる。従って、旗Ｆを正面に真っ直ぐ向けることができる。
このようにして、飾り台１０の組み立ては完了する。
【００３０】
旗竿部５０が基台部２０に起立させることができれば、設置者は、旗Ｆの上端に形成された引っ掛け用紐を引っ掛け部５２ａに差し込み、旗Ｆを旗竿部５０に吊り下げる。
そして、設置者は、男雛Ｄ１を台座部３１へ、女雛Ｄ２を台座部３２へ配置する。そして、状況に応じて、餅を載せる高杯や箪笥、長持ちなどの附属品を、台座部３１，３２の前方に配置することで、飾り付けが完了する。
【００３１】
このように、飾り台１０によれば、２体（男雛Ｄ１，女雛Ｄ２）が載る台座部３１，３２のうち女雛Ｄ２が配置される台座部３２は、隣接する台座部３１より低く形成されているため、台座部３１，３２を段違いとすることができる。従って、女雛Ｄ２の衣装が十二単で裾の拡がりが大きく、また、男雛Ｄ１の衣装も束帯で裾が拡がっていても、女雛Ｄ２の衣装は台座部３１の下方に拡がり、男雛Ｄ１の衣装は、台座部３２の上方に拡がる。そのため、互いの衣装同士が直接接触して重なり合うことが回避できる。よって、台座部３１，３２同士の距離Ｌ（図１参照）を接近させて基台部２０に配置することができるため、飾り台１０の横幅を狭くサイズを小さくすることができる。
【００３２】
台座部３１，３２には、基台部２０から起立する脚部４１，４２が設けられているため、高い位置にある台座部３１だけでなく、低い位置にある台座部３２も、基台部２０より、更に高い位置にある。従って、台座部３１，３２の前方に、餅を載せる高杯や箪笥、長持ちなどの附属品を配置しても、男雛Ｄ１および女雛Ｄ２の邪魔にならない。そのため、鑑賞者は、附属品に邪魔されることなく、男雛Ｄ１および女雛Ｄ２を鑑賞することができる。
【００３３】
基台部２０には、旗Ｆを垂れ下げるための旗竿部５０が設けられているため、旗Ｆに、名前や模様、背景を、刺繍したり、プリントしたりすることができる。また、飾り台１０の中央部に、旗Ｆが吊り下げられていることで、基台部２０の外に、旗竿を立てて旗を吊り下げるより、全体をコンパクトに纏めることができる。
【００３４】
以上、本考案に実施の形態に係る飾り台を説明したが、本考案は上記実施の形態に限定されるものではない。例えば、本実施の形態では、飾り台１０は雛人形を飾るものであったため台座部３１，３２は２つであった。しかし、飾り台は、少なくとも１体の人形を含む装飾体が配置される３つ以上の台座部を基台部に設け、人形が配置される台座部を、隣接する台座部より低くする形成されたものであればよい。
【００３５】
また、台座部３１，３２は、間を空けて段違いとなるように基台部２０に配置されているが、意匠上問題がなければ、台座部３１，３２に高低差を付けると共に、台座部３１，３２の端部同士が重なるように配置されていてもよい。そうすることで、台座部３１，３２を更に接近させて配置することができるため、基台部２０の幅を更に狭くすることができる。
【００３６】
台座部３１，３２は円形状をしていたが、脚部を基台部に嵌め込む際に、脚部の軸回転方向が位置決めできるように、脚部および基台部の嵌合用穴が形成されていれば、台座部は多角形状であってもよい。
また、台座部３１，３２のいずれにも脚部４１，４２が設けられていたが、装飾体の前方に附属品などを配置しなければ、低い位置となる台座部は、脚部を省略して基台部に配置されていてもよい。
更に、旗竿部５０が２本の竿部材５１，５２から構成されていたため、竿部材５１，５２の繋がった部分を軸回転自在な連結部としているが、旗竿部が３本以上の竿部材から構成されるのであれば、いずれかの連結部を軸回転自在に嵌合可能とすれば、竿部材のねじ込みに関係なく引っ掛け部を正面に向けることができる。
また、引っ掛け部５２ａは斜め下方に向かって切り込んだ溝としているが、正面に向かって突出する突起としてもよい。
【産業上の利用可能性】
【００３７】
本考案は、基台部に、横並びに設置された複数の台座部のそれぞれに、少なくとも１体の人形を含む装飾体が配置される飾り台に好適であり、特に、雛人形を飾る飾り台に最適である。
【符号の説明】
【００３８】
１０  飾り台
２０  基台部
２１  切り欠き部
３１，３２  台座部
４１，４２  脚部
４１ａ，４２ａ  雄ねじ部
５０  旗竿部
５１，５２  竿部材
５１ａ  雄ねじ部
５１ｂ  嵌合用穴
５２ａ  引っ掛け部
５２ｂ  軸部
５３  連結部
Ｄ１  男雛
Ｄ２  女雛
Ｆ  旗
Ｎ  名前
Ｌ  距離
【図１】
0003200832.tif 000003
【図２】
0003200832.tif 000004
【図３】
0003200832.tif 000005
【図４】
0003200832.tif 000006